(57)【要約】【課題】  ネットワークや通信網の発達にともなう需要の多様化と増大に対応でき、多くの配線スペースを不要にする。【解決手段】  配線盤１は、多種類のネットワークからなる広域ネットワークのいずれのネットワークにも接続可能な広域接続ユニット２と、広域接続ユニットに接続する分配・切替ユニットと、分配・切替ユニットに接続する複数の集合コネクタ６ａとを備えている。また、各部屋１００には集合コネクタ６ｂを配備する。配線盤１の集合コネクタ６ａと各部屋１００の集合コネクタ６ｂとを、複数の通信用ケーブルが接着され、接着部分近傍に複数の通信用ケーブルが接着部分で分離可能となる分離領域を有する複合ケーブル１４で接続する。【選択図】  図１
2005094969.tif 000002
【特許請求の範囲】
【請求項１】
多種類のネットワークからなる広域ネットワークのいずれのネットワークにも接続可能な広域接続ユニットと、
前記広域接続ユニットに接続され、１つの信号を複数の信号に分配する分配器又は信号を前記ネットワーク内の所望の場所に送信する切替器の少なくとも１つを備えた分配・切替ユニットと、
前記分配・切替ユニットに接続される複数のセントラル配線集合ユニットと
を有している配線盤と、
複数のローカル配線集合ユニットと、
前記配線盤のセントラル配線集合ユニットと前記ローカル配線集合ユニットとを接続し、複数の通信用ケーブルの外被が接着され、前記接着部分近傍に前記複数の通信用ケーブルを前記接着部分で分離可能にする分離領域を有する複合ケーブルと
を備えていることを特徴とする屋内配線システム。
【請求項２】
前記複合ケーブルは、ツイストペアケーブルと光ファイバケーブルとを含んでいることを特徴とする請求項１に記載の屋内配線システム。
【請求項３】
前記複合ケーブルは、ツイストペアケーブルと同軸ケーブルと光ファイバケーブルとを含んでいることを特徴とする請求項１に記載の屋内配線システム。
【請求項４】
前記配線盤は、
前記分配・切替ユニットから前記ツイストペアケーブルを介して送られた複数の信号を１つの信号に統合し前記セントラル配線集合ユニットに送信する変換ユニットをさらに備えていることを特徴とする請求項１〜３のいずれか１項に記載の屋内配線システム。
【請求項５】
前記配線盤は、
前記分配・切替ユニットに接続されるサービス提供ユニットを備え、
前記サービス提供ユニットは、
各ローカル配線集合ユニットを介してクライアントに所望の情報を提供する共有ファイルを備えたサーバであることを特徴とする請求項１〜４のいずれか１項に記載の屋内配線システム。
【発明の詳細な説明】
【技術分野】
【０００１】
本発明は、一戸建て住宅、集合住宅、ビル、工場（以下「住宅等」という）などの屋内配線システムに関するものであり、特に広域ネットワークの発展に対応して、柔軟に対応でき、情報量の増大にもかかわらず配線スペースを増やす必要のない省スペースの屋内配線システムに関するものである。
【背景技術】
【０００２】
近年、パーソナルコンピュータなどの情報機器の普及、ＩＳＤＮなどのデジタル通信網やインターネットによる通信サービスの普及、通信衛星を用いた各種の衛星放送の普及などにより、住宅等の屋内での各種の通信需要に対するツイストペアケーブル、同軸ケーブル、光ファイバケーブルなどの配線の追加が求められることが多くなった。また、各種家電機器の制御、表示のための信号を伝送する制御ケーブル、信号ケーブルの配線需要も増加している。
【０００３】
既存の住宅等では、所望の部屋に所望の通信サービス用の接続端子や情報コンセントがない場合、やむを得ず露出配線をしてその部屋に新しい接続端子や情報コンセントを設けなければならず、そのため部屋の景観を損なう上、配線が複雑化するという問題があった。また、各部屋に情報コンセントを設けていても、情報関連機器の多様化、多機種化や部屋の模様替えなどに伴って追加配線が必要になることもある。これまでに、各情報ケーブルを一旦集合配線ボックスに集合させ、集合配線ボックスを基点に各部屋に各ケーブルを配線する屋内配線システムがある（特許文献１）。
【０００４】
【特許文献１】特開平２０００−６７６６１号公報
【発明の開示】
【発明が解決しようとする課題】
【０００５】
特許文献１に記載の配線システムは、各部屋に所望の情報を提供可能なように配線を組み換えられるようにした集合配線ボックスを設置し、そこから予め各種の通信サービス需要に対応するケーブルを１本にまとめた複合ケーブルを先行配線する。そして、各部屋で所望の情報・通信機器を接続しうる情報コンセントを配備し、各部屋の情報需要に対し、集合配線ボックス内の配線を切り換えるだけで、その需要に対応できるようにしている。
【０００６】
近年のネットワークや通信網は日々進化し、それに伴い新たな回線を加えて、再度配線する必要がある。ところが、特許文献１に記載の配線システムは、ケーブルを各種のメディア別の端子に接続する必要があるため、配線システム内に多種多様なケーブルが混在し、配線が複雑で且つ配線スペースが必要である。このため、新たな配線を加える場合、配線が複雑なため作業が煩雑になり、配線スペースを新たに設ける必要がある。
【０００７】
そこで、本発明の目的は、上記の問題点を解消し、ネットワークや通信網の発達にともなう需要の多様化と増大に対応でき、しかも多くの配線スペースを必要としない省スペース配線システムを提供することにある。
【課題を解決するための手段及び発明の効果】
【０００８】
上記課題を解決するために、本発明は、多種類のネットワークからなる広域ネットワークのいずれのネットワークにも接続可能な広域接続ユニットと、前記広域接続ユニットに接続され、１つの信号を複数の信号に分配する分配器又は信号を前記ネットワーク内の所望の場所に送信する切替器の少なくとも１つを備えた分配・切替ユニットと、前記分配・切替ユニットに接続される複数のセントラル配線集合ユニットとを有している配線盤と、複数のローカル配線集合ユニットと、前記配線盤のセントラル配線集合ユニットと前記ローカル配線集合ユニットとを接続し、複数の通信用ケーブルの外被が接着され、前記接着部分近傍に前記複数の通信用ケーブルを分離可能にする分離領域を備えた複合ケーブルとを備えている。
【０００９】
この構成によると、配線盤内の広域接続ユニットにより、多種多様な情報を提供してくれる広域ネットワークとの接続が可能となり、分配・切替ユニットにより、広域接続ユニットを介して受信される信号を再分離可能な状態に合成し、各部屋のクライアントに所望の情報を提供することができる。また、複数の通信用ケーブルが分離可能に複合ケーブルを構成し、セントラル配線集合ユニットとローカル配線集合ユニットとを接続しているため、配線作業が容易になる。
【００１０】
この場合、前記複合ケーブルは、ツイストペアケーブルと光ファイバケーブルとを含んでいてもよい。
【００１１】
また、この場合、前記複合ケーブルは、ツイストペアケーブルと同軸ケーブルと光ファイバケーブルとを含んでいることが好ましい。
【００１２】
この構成によると、通信用複合ケーブルが、多種類のケーブルを分割容易に接着しているので、セントラル配線集合ユニット及び各ローカル配線集合ユニットとの接続において、一本の通信用複合ケーブルを接続するだけで必要な配線を行うことになり、配線作業が容易になる。
【００１３】
本発明において、前記配線盤は、前記分配・切替ユニットから前記ツイストペアケーブルを介して送られた複数の信号を１つの信号に統合し前記セントラル配線集合ユニットに送信する変換ユニットをさらに備えていることが好ましい。
【００１４】
この構成によると、複数混在する信号を一本の配線で扱うことができるため、配線が簡単になり、配線スペースを小さくすることができる。
【００１５】
本発明において、前記配線盤は、前記分配・切替ユニットに接続されるサービス提供ユニットを備え、前記サービス提供ユニットは、各ローカル配線集合ユニットを介してクライアントに所望の情報を提供する共有ファイルを備えたサーバであってもよい。
【００１６】
これによると、各部屋のクライアントが所望のサービスを受けるに必要な手段を省くことが可能である。
【発明を実施するための最良の形態】
【００１７】
以下、本発明に係る好適な実施の形態について、図面を参照しつつ説明する。
【００１８】
図１は、本発明の第１の実施の形態に係る屋内配線システムの概略図である。図１に示すように、情報を送受信する通信光ファイバ１６、ＩＳＤＮ回線１７、映像ケーブル１８、及び複合光ファイバ１９が、配線盤１に接続されている。そして、配線盤１を基点にして、複合ケーブル１４が部屋１００に配線されている。尚、図１では、部屋１００は１つのみ描かれているが、配線盤１を配設する建物により部屋１００の数は異なる。まず、複合ケーブル１４について説明する。
【００１９】
図２は、複合ケーブル１４の断面図である。複合ケーブル１４は、光ファイバ１１と、通信ケーブル１２と、映像ケーブル１８とを１つにまとめたケーブルである。光ファイバ１１、通信ケーブル１２及び映像ケーブル１８は、並列に並んでおり、各ケーブルの外被の一部が接着し１本のケーブルを構成している。接着部分１４ａの近傍には分離領域１４ｂを有している。すなわち、接着し隣り合う２本のケーブルは、括れを有した８の字を形成している。これにより、接着領域が小さく、接着部分１４ａで容易に分離することができる。尚、光ファイバ１１、通信ケーブル１２及び映像ケーブル１８の接着順は図２に示す以外の順番でもよい。
【００２０】
光ファイバ１１は、映像、音声などの大容量の情報を送受信する光通信ケーブルである。光ファイバ１１は、超広帯域伝送が可能であり、長距離伝送に対応し、且つ、外部からのノイズに強いという利点を有している。このため、近年、都市間の長距離通信やインターネットの基幹ネットワークなどでよく使用されている。本実施の形態では、ＳＭ（Single Mode Fiber）型と、ＧＩ(Graded Index Fiber)型とを複合した光ファイバを用いている。ＳＭ型光ファイバは、主に通信用に使われ、２芯１対のＳＭファイバ１１ａを有している。また、ＧＩ型光ファイバは、主にＬＡＮシステムなどに使われ、２芯１対のＧＩファイバ１１ｂを有している。
【００２１】
ＳＭファイバ１１ａ及びＧＩファイバ１１ｂは、ポリエチレン１１ｃで覆われ、保護されている。また、ポリエチレン１１ｃは、中心で容易に引き裂くことができる構造であり、ポリエチレン１１ｃを引き裂くことで、ＳＭファイバ１１ａ及びＧＩファイバ１１ｂを露出させることができる。この２本の光ファイバをビニールのシース材１１ｄで覆い、１本の光ファイバケーブルを構成している。
【００２２】
通信ケーブル１２は、音声や文字などの情報を送受信するケーブルである。また、通信ケーブル１２は、コンピュータネットワーク及び電話回線に対応しており、カテゴリー５と呼ばれる１００Ｍｂｐｓ対応のＵＴＰ（UnShielded Twisted Pair）ケーブルが用いられている。本実施の形態では、導体１２ａの周りを絶縁体１２ｂで被覆された電線をよりあわせて一対とし、それを４対あわせ、ビニールのシース材１２ｃで覆った、４対８芯のケーブルを用いている。
【００２３】
映像ケーブル１８は、衛星あるいは地上からの映像や音声などの情報を送受信する同軸ケーブルである。映像ケーブル１８（同軸ケーブル）は、内部導体１８ａ（銅の芯線）の周りをポリエチレン１８ｂ等で絶縁し、その周りに外部導体１８ｃ（細い網線）を編組し、その外部導体１８ｃの最外周をビニールのシース材１８ｄで包んだ構造である。
【００２４】
次に、図１を参照しつつ、屋内配線システムについて説明する。図示しない屋外の機器（ＴＶアンテナ、通信用保安器など）に接続されている通信光ファイバ１６、ＩＳＤＮ（Integrated Services Digital Network）回線１７、映像ケーブル１８、及び複合光ファイバ１９が、屋内の配線盤１に接続されている。通信光ファイバ１６は、映像、音声などの大容量の情報を送受信する光通信ケーブルである。ＩＳＤＮ回線１７は、音声や文字などのアナログ情報及びデジタル情報を送受信するケーブルである。映像ケーブル１８は屋外のアンテナに接続されたテレビ用映像情報を送受信する同軸ケーブルである。複合光ファイバ１９は、１つの光ファイバに、ＣＡＴＶや、電話や、インターネット等の信号を送受信する、ＳＭ型またはＧＩ型光ファイバを意味する。
【００２５】
配線盤１は、住宅の各部屋に対して所望の情報を提供するように配線を管理する配線盤である。配線盤１は、広域接続ユニット２と、分配・切替ユニット３と、変換コネクタ４と、サーバ５と、集合コネクタ６ａとを有している。広域接続ユニット２は、屋外からの配線を屋内に引き込むための接続ユニットであり、ＯＮＵ（Optical Network Unit）２１と、ＤＳＵ（Digital Service Unit）２２と、ブースター２３とを有している。分配・切替ユニット３は、広域接続ユニット２からの信号を部屋１００の数に応じた配線をすることができ、また、広域接続ユニット２からの信号を目的の部屋１００に送信することができる。分配・切替ユニット３は、ＨＵＢ３１、ＴＡ３２、分配器３３、及びカプラ３４を有している。尚、図１に示す、分配・切替ユニット３の各装置からは１本の配線のみ描かれているが、実際には、部屋１００の数に応じた配線がなされている。
【００２６】
ＯＮＵ２１は、図示しない光端子とＬＡＮ端子とを備え、光信号と電気信号とを変換する。ＯＮＵ２１の光端子には、通信光ファイバ１６が接続され、ＯＮＵ２１のＬＡＮ端子には、ＨＵＢ３１が接続されている。ＨＵＢ３１は、部屋数に応じた配線を可能にしている。ＨＵＢ３１には、図示しない切替スイッチが備えられており、目的の部屋１００に信号を送信することが可能となっている。また、通信光ファイバ１６からの光信号はＯＮＵ２１により電気信号に変換されるので、ＯＮＵ２１と変換コネクタ４との間の配線は、４芯のＬＡＮケーブルを用いている。
【００２７】
ＨＵＢ３１からは、変換コネクタ４と、サーバ５とに配線されている。変換コネクタ４は、後に詳述するが、ＯＮＵ２１からの信号とＴＡ２２からの信号とを一つの信号にする。サーバ５は、各部屋１００にサービスを提供するものである。配線盤１にサーバ５を設けることで、各部屋１００のユーザは、例えば、ファイルの共有や、ネットワーク機器を含む様々な機器の共有、制御等が可能となる。
【００２８】
ＤＳＵ２２は、Ｕ点をＳ／Ｔ点に変換する。ＩＳＤＮ回線１７はＤＳＵ２２の接続コネクタであるＵ点に接続されている。Ｕ点は、６極２芯のＲＪ−１１である。また、ＤＳＵ２２のＳ／Ｔ点からの配線が、ＴＡ（Terminal Adapter）３２に接続されている。尚、最近のＴＡは、ＤＳＵを内蔵しているものもある。ＴＡ３２は、部屋数に応じた配線を可能にしている。そして、ＴＡ３２のＳ／Ｔ点からの配線が変換コネクタ４に接続されている。ＤＳＵ２２と変換コネクタ４との間の配線は、４芯のＬＡＮケーブルを用いている。尚、図示していなが、ＴＡ３２には、交換機が格納されており、ＩＳＤＮ回線の信号は、交換機により所望の部屋１００に送信される。
【００２９】
ここで、変換コネクタ４について説明する。変換コネクタ４は、ＨＵＢ３１とＴＡ３２とから送られてくる信号線の４芯のＬＡＮ回線と４芯のＩＳＤＮ回線とを、８芯の配線にまとめるためのコネクタである。変換コネクタ４は、後述する集合コネクタ６ａのモジュラジャック６１に接続されている。モジュラジャック６１は、８極のＲＪ−４５を用いている。図３は、ＬＡＮ回線とＩＳＤＮ回線とを１つのＲＪ−４５にまとめる場合の図である。ＬＡＮ回線は、１・２・３・６ピンの計４つのピンを使用する。また、ＩＳＤＮ回線は、３・４・５・６ピンの計４つのピンを使用する。このため、いずれかの回線のＲＪ−４５の３・６ピンが重なり合い、使用できなくなる。そこで、ＩＳＤＮ回線の３・６ピンをＲＪ−４５の空きピンの７・８ピンに接続する。これにより、１つのＲＪ−４５で、ＬＡＮ回線と、ＩＳＤＮ回線とが共存することができる。
【００３０】
ブースター２３は、送られてきた映像信号を増幅する。映像ケーブル１８が、ブースター２３に接続されており、ブースター２３には、分配器３３が接続されている。分配器３３は、部屋数に応じた配線を可能にしている。また、ブースター２３により信号が増幅されているので、分配器３３により映像信号が分配されても部屋１００でも映像のよいＴＶを視聴することができる。分配器３３から集合コネクタ６ａの同軸コネクタ６２に接続されている。
【００３１】
カプラ３４は、光回線の分岐装置である。カプラ３４は、部屋１００数に応じた配線を可能にしている。つまり、本実施の形態では、一本の光ファイバを複数の部屋１００に回線を引き込むＰＯＮ（Passive Optical Network）方式を採用している。また、カプラ３４は、図示しない切替機能を有しており、目的の部屋１００に信号を送信することが可能である。また、カプラ３４と集合コネクタ６ａとの間の配線には、上述した光ファイバ１１と同様のケーブルを用いている。カプラ３４には集合コネクタ６ａの光コネクタ６３が接続されている。光コネクタ６３は、光ファイバ用コネクタである。光コネクタ６３には、例えば、ＦＣなどがある。
【００３２】
ここで集合コネクタ６ａについて図４を参照しつつ説明する。図４（ａ）は、集合コネクタ６ａの正面図であり、図４（ｂ）は、集合コネクタ６ａの側面透視図である。集合コネクタ６ａは、略直方体のケース６４を有しており、ケース６４には、モジュラジャック６１、同軸コネクタ６２、及び光コネクタ６３が設けられている。モジュラジャック６１は、上述したように８極８芯のＲＪ―４５である。同軸コネクタ６２は、同軸ケーブルを接続するためのコネクタである。光コネクタ６３は、光ファイバ用コネクタであり、ＳＭ型及びＧＩ型光ファイバに対応している。
【００３３】
集合コネクタ６ａは、配線盤１内に設けられている。集合コネクタ６ａは、図示しないが、背面にも図４（ａ）の正面図と同様に雌コネクタが設けられている。従って、作業者が集合コネクタ６ａに配線を接続する際には、はんだ付けのような作業をする必要がなく、コネクタに差し込むだけで接続作業が完了する。また、各コネクタ６１〜６３は、図４（ｂ）の破線で示すように、接続口にケーブルが差し込み可能な範囲で回動可能となっており、コネクタの接続口をケース６４に対して斜めにすることが可能となる。これにより、集合コネクタ６ａの接続口周辺にスペースがなくても、各コネクタ６１〜６３を斜めにすることで、ケーブルを差し込みやすくなり、配線作業が容易になる。尚、図１では１つの集合コネクタ６ａが描かれているが、実際は部屋１００の数に対応する数が配線盤１内に設けられている。また、部屋１００に設けられている集合コネクタ６ｂは、集合コネクタ６ａと同様の構造を有している。
【００３４】
再び図１に戻り、配線盤１の集合コネクタ６ａと、部屋１００の集合コネクタ６ｂとは、上述した複合ケーブル１４により接続されている。そして、各部屋１００に設けられている集合コネクタ６ｂの同軸コネクタ６２にはＴＶ１０１が接続されている。また、モジュラジャック６１には、変換コネクタ４が接続されている。図３で説明したように、ＩＳＤＮ回線の３、６ピンを７、８ピンに変換しているため、部屋１００の変換コネクタ４により、ＩＳＤＮ回線の７、８ピンを３、６ピンに再変換する必要がある。これにより、ＬＡＮ回線と、ＩＳＤＮ回線との２つの回線を部屋１００で使用することができる。ＬＡＮ回線はＰＣ１０２（Personal Computer）に接続することで、高速なコンピュータネットワークを使用することができる。また、ＩＳＤＮ回線は、ＰＣ１０２、アナログ電話１０３に接続する。尚、ＩＳＤＮ回線を使用する場合は、ＴＡ１０４を用いる。勿論、ＴＡ１０４を用いずに、ＩＳＤＮ対応電話（図示せず）やＩＳＤＮルータなどを変換コネクタ４に接続してもよい。
【００３５】
光コネクタ６３には、光回線の分岐装置であるカプラ３５が接続されており、そこから必要な情報機器に応じた配線がなされている。カプラ３５は、ＯＡＤＭ（Optical Add/Drop Multiplexing）であり、光ファイバに特定波長の信号を加える機能と、特定波長の信号を取り出す機能を有している。これにより、カプラ３５に接続されている情報機器に対応した信号を取り出し、送信することができる。また、電気信号を使用する情報機器の場合は、ＭＣ（Media Converter）１０５を介して、光信号を電気信号に変換する必要がある。尚、配線盤１内のカプラ３４はＯＡＤＭのカプラ３５を用いてもよい。
【００３６】
以上、説明したように、本実施の形態において、配線盤１の広域接続ユニット２により、多種多様な情報を提供してくれる広域ネットワークとの接続が可能となり、広域接続ユニット２により、部屋１００の数に応じて、配線盤１から回線を分配することができる。これにより、各部屋１００のクライアントに所望の情報を提供することができる。また、変換コネクタ４により、光ファイバによるＬＡＮ回線と、ＩＳＤＮ回線とを１つのモジュラジャック６１に統合することができるため、配線盤１内の配線スペースが小さくなり、且つ、各部屋１００への配線が容易になる。
【００３７】
また、各部屋１００と配線盤１とを複合ケーブル１４で接続しているため、配線が簡単になる。しかも、複合ケーブル１４は、分割容易に映像ケーブル１８と。光ファイバ１１と、通信ケーブル１２とをまとめているため、配線作業が容易になる。配線盤１にサーバ５を配置することにより、各部屋１００のクライアントが所望のサービスを受けるに必要な手段を個別に用意することを省くことが可能となる。
【００３８】
尚、本実施の形態では、配線盤１のＤＳＵ２２とＴＡ３２とは別々に配設しているが、ＤＳＵ２２を内蔵したＴＡ３２を用いてもよい。また、ＴＡ３２のＳ／Ｔ点に４芯のＬＡＮケーブルを接続し、それを変換コネクタ４に接続しているが、２芯のアナログ電話回線をＴＡ３２のＵ点に接続し、それを変換コネクタ４に接続してもよい。この場合、変換コネクタ４には、ＯＮＵ２１からのＬＡＮ回線とＴＡ３２からのアナログ電話回線とが接続される。このため、変換コネクタ４で、ＬＡＮ回線とアナログ電話回線とを１つにまとめるようにしてもよい。具体的には、図５に示すように、アナルグ電話回線は、２つのピンを使用するため、空いている４、５ピン又は７、８ピンを使用するようにする。この場合は、２本のアナログ電話回線と、ＬＡＮ回線とをまとめることが可能となる。
【００３９】
また、本実施の形態の光ファイバが、ＷＤＭ（WaveLength Division Multiplexing；波長分割多重方式）、ＴＤＭ（Time Division Multiplexing；時分割多重方式）、ＦＤＭ（Frequency Division Multiplexing；周波数多重分割方式）等であってもよいし、ＩＰを多重化する方式であってもよい。ＷＤＭ、ＴＤＭ、及びＦＤＭは、複数の回線を束ねて1つの1本の回線を共用する多重化技術の一つである。ＷＤＭは、複数の異なる波長を合成し１つの光ファイバにすることで、複数の大量な情報を一度に送信することを可能にする方式である。ＴＤＭは、共用回線を使用する時間を等分し、複数の回線に順番に割り当てる方式である。ＦＤＭは、共用回線の周波数帯域を等分して複数の回線に割り当て、合成波として送受信を行なう方式である。この場合、複合ケーブル１４の光ファイバ１１はＳＭファイバ１１ａのみを有していればよい。また、この場合、部屋１００において、例えばＷＤＭの場合、ＷＤＭに対応した、複数の波長を分解するＷＤＮカプラを設けて各情報機器に接続する必要がある。
【００４０】
複合ケーブル１４の光ファイバ１１、通信ケーブル１２、及び映像ケーブル１８を１列に接着しなくてもよい。例えば、３本のケーブルを三角形に接着してもよい。また、ＨＵＢ３１ではなく、スイッチングＨＵＢのような多ポートを持つネットワーク機器を用いてもよい。
【００４１】
次に、本発明の第２の実施の形態に係る配線システムについて説明する。本実施の形態は、映像ケーブルを配線していない点で第１の実施の形態と異なる。以下、その相違点についてのみ説明する。尚、実施例１と同一の部材には同一の符号を付記してその説明を省略する。
【００４２】
部屋１００に室内アンテナを設ける場合や、ＣＡＴＶなどを部屋１００に引き込む場合には、ＴＶアンテナを必要としないため、配線盤１内に映像ケーブル１８を取込む必要がない。このため、第２の実施の形態に係る配線システムの概略図である図６に示すように、配線盤１内には、ブースター２３及び分配器３３を必要としない。さらに、集合コネクタ８ａ・８ｂは、モジュラジャック６１及び光コネクタ６３を有していればよく、複合ケーブル１５も、光ファイバ１１及び通信ケーブル１２を有していればよい（図７参照）。また、複合光ファイバ１９にＴＶ回線を含んでいる場合には、部屋１００内のカプラ３５にＴＶを接続すればよい。
【００４３】
以上、説明したように、本実施の形態において、第１の実施の形態と同様の効果を得ることができる。
【図面の簡単な説明】
【００４４】
【図１】本発明の第１の実施の形態に係る配線システムの概略図である。
【図２】図１に描かれている複合ケーブルの断面図である。
【図３】図１に描かれている変換コネクタの概略構成図である。
【図４】（ａ）は図１に描かれている集合コネクタの正面図である。（ｂ）は集合コネクタ側面図である。
【図５】図１に描かれている変換コネクタの概略構成図である。
【図６】本発明の第２の実施の形態に係る配線システムの概略図である。
【図７】図６に描かれている複合ケーブルの断面図である。
【符号の説明】
【００４５】
１    配線盤
２    広域接続ユニット
３    分配・切替ユニット
４    変換コネクタ（変換ユニット）
５    サーバ
６ａ    集合コネクタ（セントラル配線集合ユニット）
６ｂ    集合コネクタ（ローカル配線集合ユニット）
１４、１５    複合ケーブル
１６    通信光ファイバ
１７    ＩＳＤＮ回線
１８    映像ケーブル
２１    ＯＮＵ
２２    ＤＳＵ
２３    チューナ
３１    ＨＵＢ
３２    ＴＡ
３３    分配器
６１    モジュラジャック
６２    同軸コネクタ
【図１】
2005094969.tif 000003
【図２】
2005094969.tif 000004
【図３】
2005094969.tif 000005
【図４】
2005094969.tif 000006
【図５】
2005094969.tif 000007
【図６】
2005094969.tif 000008
【図７】
2005094969.tif 000009